(57)【特許請求の範囲】
【請求項１】
複数の葉片を重ね合わせてできる任意の対向面間に疑似接着シートを挿入して前記葉片同士を剥離可能に一体化する情報通信体において、前記疑似接着シートを構成する支持体の一方の面に剥離可能に積層された樹脂側を、対向する葉片の開封側端に形成された切り欠きを有する葉片側に配置すると共に、前記切り欠き部分において疑似接着シートが露出した状態となっていることを特徴とした情報通信体。
【請求項２】
複数の葉片を重ね合わせてできる任意の対向面間に疑似接着シートを挿入して前記葉片同士を剥離可能に一体化する情報通信体の製造方法において、前記疑似接着シートを構成する支持体の一方の面に剥離可能に積層された樹脂側を、対向する葉片の開封側端に形成された切り欠きを有する葉片側に配置すると共に、前記切り欠き部分において疑似接着シートが露出した状態で前記両葉片を剥離可能に一体化することを特徴とした情報通信体の製造方法。
【発明の詳細な説明】
【技術分野】
【０００１】  本発明はＤＭをはじめ葉書、往復葉書、封書等に利用可能な情報通信体とその製造方法に関する。
詳しくは、見掛けは通常のＤＭ、葉書、往復葉書、封書であるにもかかわらず、多層に折り畳まれたシートが剥離可能に積層されているため、多量な情報の隠蔽が可能な情報通信体とその製造方法に関する。
【背景技術】
【０００２】  最近葉書等の郵便物において、情報が記載された複数の葉片を折り畳み剥離可能に一体化することにより、多量の情報を隠蔽状態で郵送することができる情報通信体が多用されている。
この様な情報通信体は、例えば長尺状のシートを折り畳み対向する葉片間に例えば剥離可能に積層した２枚のフィルムの両外側に接着剤層を設けた積層シート（以下疑似接着シートという）を挿入し一体化することにより製造される。（特許文献１参照）
またそのようにして製造する場合、対向する葉片の開封側端に沿って非接着域を設ける等、情報通信体の開封方法を考慮した上で製造する必要がある。（特許文献２参照）
情報通信体の効果的な開封方法として、例えば開封側端に沿って段差を形成したり、葉片の角等に切り欠きを設けて段差を形成しておく方法がある。（特許文献３参照）
【特許文献１】特開平５−３８８９４号公報
【特許文献２】特開平２−１６４５９８号公報
【特許文献３】特開平１−１６６９２号
【発明の開示】
【０００３】  しかし例えば前記引例の製造方法により、対向葉片の開封側端に段差を形成して製造する場合、首尾よく葉片と疑似接着シートの位置が意図する位置におさまればよいが、製造中に疑似接着シートが位置ずれを起こし予定した位置に収まらないケースが頻発する。
この位置ずれは製造装置の特性や作業中の振動等により必然的に発生し、万が一疑似接着シートが対向葉片の開封側端に接近しすぎたり外へはみ出してしまうと、対向葉片の側端に形成されるはずの未接着部分がなくなるため剥離の端緒を失い、情報通信体の受取人はその開封が困難になる。
従って、作業者は疑似接着シートの蛇行による位置ずれを考慮して、開封側端に接近しすぎたりはみ出してしまうことがないように充分な余裕をみて長尺シートと疑似接着フィルムの挿入位置を決定する。
とはいえ疑似接着シートが開封側端から内側へ入りすぎると対向葉片の側端に形成される未接着部分が広くなりすぎ、そのため郵便業務の仕分作業や郵送途上で他の葉書等の情報通信体に前記未接着部分が引っかかり自然開封してしまう等の事故が多発する。
【０００４】  作業者としては、疑似接着シートが対向葉片の開封側端に接近しすぎた位置や外へはみ出ることなく、且つ内側に入りすぎることがないように製造でき、万が一情報通信体の開封側端に接近しすぎたりはみ出したりした場合にも開封が可能な方法を採用したいものである。
さらに葉片のコーナー部分に切り欠きを設け、それにより形成される段差を開封の端緒として活用することができるようになれば、使用者は極めてスムーズに情報通信体を剥離開封することが可能になる。
この発明は上記問題に鑑み、受取人が確実に開封することができる情報通信体とその製造方法を提供することを目的としている。
【課題を解決するための手段】
【０００５】  上記問題を解決するために本発明の情報通信体は、複数の葉片を重ね合わせできる任意の対向面間に疑似接着シートを挿入して前記葉片同士を剥離可能に一体化する情報通信体において、前記疑似接着シートを構成する支持体の一方の面に剥離可能に積層された樹脂側を、対向する葉片の開封側端に形成された切り欠きを有する葉片側に配置すると共に、前記切り欠き部分において疑似接着シートが露出した状態となっていることを特徴としている。
また上記問題を解決するために本発明の情報通信体の製造方法は、複数の葉片をを重ね合わせてできる任意の対向面間に疑似接着シートを挿入して前記葉片同士を剥離可能に一体化する情報通信体の製造方法において、前記疑似接着シートを構成する支持体の一方の面に剥離可能に積層された樹脂側を、対向する葉片の開封側端に形成された切り欠きを有する葉片側に配置すると共に、前記切り欠き部分において疑似接着シートが露出した状態で前記両葉片を剥離可能に一体化することを特徴としている。
【０００６】  前記複数の葉片の重ね合わせの形態に制限はない。折り線を介して連接された複数の葉片を折り畳んでもよく、別体の葉片を重ね合わせても、また折り畳みと重ね合わせが混在していても構わない。
また重ね合わせにより生じる任意の対向面の処理についても制限はない。疑似接着シートを介して剥離可能に一体化してもよく、接着剤や両面接着性のシートにより完全接着したり或いはなにもせずに未接着のままでも構わない。
さらに情報通信体の製造に当り、当該情報通信体を印刷する用紙の形態にも制限はなく、例えばビジネスフォーム等で使用する長尺状シートに複数の情報通信体を印刷してもよく、その場合前記長尺状シートを連続的に折り畳んだり、インタースタッカー等で連続的に切り重ねることにより製造する方法が採用できる。またオフセット印刷等で１枚のカット用紙に情報通信体が複数丁印刷されたものから切り出して折り畳む方法を採用しても構わない。
勿論用紙の材質に関しても制限はなく通常の印刷用紙の他に合成紙、プラスチックフィルム、金属箔、それらの混合等が好適に使用できる。
【０００７】  疑似接着シートの構成は、例えばポリエチレンテレフタレート系、ポリプロピレン系、ポリカーボネイト系、アセテート系等の比較的腰の強い支持体の一方の面にポリエチレン系、エチレン酢ビ共重合体系、エチレンアクリル酸共重合体系、エチレンアクリル酸エチル共重合体系、ポリアミド系、アイオノマー系、ポリエステル系、それらの混合等で引っ張りや破断の力に比較的弱い熱可塑性又は熱硬化性の樹脂を公知の塗工手段により剥離可能に積層し、さらにその両外側に公知の感熱接着剤層を形成したものが好適に使用できる。
なお、前記支持体や樹脂及び感熱接着剤層には例えば粘着付与剤、ワックス類、充填剤、アンチブロック剤、滑剤、酸化防止剤、その他の添加剤等が添加されていても構わない。
また、疑似接着シートの構成は上記４層に限られることはなく２層、３層、５層又はそれ以上の層構成でも構わない。
【０００８】  前記樹脂はその外側に形成される感熱接着剤層と共に引っ張りや破断の力により容易に伸びたり破断される必要がある。従ってそのような樹脂と感熱接着剤層を選択すると共に、両者の合計厚さも薄く設定した方が好ましい。
本発明者の実験では、樹脂とその外側に形成される感熱接着剤層の２層の合計厚みが２０μｍ以下であることが好ましく、そのように調整された疑似接着シートは支持体と樹脂の境界から容易に剥離できると共に、剥離された樹脂側のフィルム（樹脂＋感熱接着剤層）は指による引っ張りや破断の力により容易に伸びたり破断することができる。
【０００９】  本発明者は、鋭意研究の末、疑似接着シートを剥離して支持体側と樹脂側に分離したときの樹脂側のフィルムに視点を置き、開封手段として開封側端に段差を形成する場合、例えばコーナ部分に切り欠き等を施した側の葉片に、前記疑似接着シートにおける樹脂側が対向するように配置することにより解決できることを発見した。
即ち、上記のような配置を採れば、仮に疑似接着シートがコーナー部分の切り欠きで露出していても、樹脂側のフィルムは開封動作と共に容易に破断されるため、
コーナー部分の切り欠きにより形成される段差を剥離の端緒として容易に開封することができる。
この場合前記樹脂と逆の支持体（腰の強い強靭なフィルム）側を配置すると、支持体は破断することができないので、段差部分をめくりあげることができず開封することはできない。
【発明の効果】
【００１０】  本発明の情報通信体とその製造方法によれば、疑似接着シートが葉片コーナーに形成された切り欠き部分で露出していても容易に剥離開封することができる。
切り欠き部分を広めに形成しておけば、その部分の何れの位置にフィルムが露出していても構わないため、疑似接着シートの位置合わせの許容範囲が極めて広くなり、素人でも簡単に大量の情報通信体を生産することが可能になる。
また、前記情報通信体の受取人は、切り欠きにより形成された段差部分を活用して、極めてスムーズに剥離開封することができる。
【発明を実施するための最良の形態】
【００１１】  図１（Ａ）及び（Ｂ）は二つ折り葉書用紙（単体）の表面図と裏面図をそれぞれ表す。図２は長尺シートの場合の葉書用紙の平面図を表す。図３は疑似接着シートの断面図を表す。図４（Ａ）及び（Ｂ）は疑似接着シートを挟み込んだ二つ折り葉書の平面図とＸ−Ｘ線断面図をそれぞれ表す。図５（Ａ）、（Ｂ）及び（Ｃ）は剥離の端緒となる切り欠き部分における剥離の様子を分かりやすく説明する斜視図をそれぞれ表す。図６は二つ折り葉書を剥離展開した場合の内面側の平面図を表す。
以下図面に沿って本発明を説明する。【００１２】  図１は最も基本的な二つ折り葉書に使用する単体の葉書用紙を表す。まず図（Ａ）に示すように葉書用紙Ｓは葉片１及び２が折り線３（必ずしも表示する必要はなくミシン目に代えても構わない）を介して連接されている。そして葉片１表面には例えば郵便切手欄と郵便番号欄の他にあて先４が表示され、さらに葉片２表面には広告、宣伝等の一般情報５が表示されている。また、葉片１の左下隅には剥離の端緒となる切り欠き部分Ｋが形成されている。
同図（Ｂ）に示すように各葉片裏面には、個人的な情報からなる隠蔽情報６が記載されている。なお、前記隠蔽情報６は預金残高や督促等の個人のプライバシーに関わる内容の他に広告、宣伝等の一般情報が記載されていても構わない。また一般情報のみが記載されていても構わない。【００１３】  この葉書用紙Ｓは、例えばオフセット印刷等に代表される印刷方式で、カット紙に複数丁印刷された状態から切り出すことができる。
またその他にビジネスフォーム印刷等に代表される印刷方式で、図２に示すように両端にマージナル孔を有した長尺シートに連続的に印刷された状態から切り出しても構わない。この場合折り線３を介して連接された葉片１及び２の各外側にそれぞれ切り取り線９（必ずしも表示する必要はなくミシン目に代えてもよい）を介してマージナル孔７を有するマージナル部分８を設けた単位葉書用紙Ｔが切取線１０（必ずしも表示する必要はなくミシン目に代えてもよい）を介して縦方向に連接された長尺シートが使用される。切り欠き部分Ｋは予め三角形の窓状の空間に打ち抜いておく。さらに、折りの形態がＺ折りや巻き折り等で、３葉片が連接された葉書用紙を使用する場合でも、３葉片が連接された葉書用紙の両外側にマージナル部分を形成して、前記２葉片の場合と同様に加工することが可能である。
そしてこの葉書用紙Ｓの折り畳みに際して、疑似接着シートＧが各葉片の対向面間に既述の様々な印刷方式に適した方法で挟み込まれる。【００１４】  図３に示すように疑似接着シートＧは、例えばポリエチレンテレフタレートからなる支持体１２にポリエチレンを主体とした熱可塑性樹脂からなる樹脂１１を公知の塗工方式により剥離可能に積層し、さらにその両外側に公知の感熱接着剤層１３を形成した４層構成の多層構造シートが好適に使用できる。
そしてこの疑似接着シートＧを各葉片よりも若干縮小したサイズに裁断し、葉書用紙Ｓの折り畳みに際し対向する葉片１及び２の周囲端縁より内側に配置して挟み込む。
また前記長尺シートから切り出す場合には、例えば長尺シートを繰り出して連続的に折り畳むと共に、ロールから繰り出される疑似接着シートＧ（各長尺シートの各葉片よりも若干巾が狭く設定されている）を連続的に対向葉片間に挿入して挟み込む。その後図２に示す各葉片１及び２の外側のマージナル部分８（折り畳みにより重なっている）を切取線９からスリッタ等で切り落とし、さらに天地方向の切取線１０をロータリーカッタ等で切り落とすことにより、個別の二つ折り葉書に切り出しても構わない。その際疑似接着シートＧは葉書用紙Ｓと天地方向において共に裁断されるため、天地方向では葉書用紙に未接着部分が発生せず、開封側端に沿って非接着部分が形成されることになる。なお前記スリッタでの切り落とし時期に関して制限はなく、折り畳みに際し予め一方のマージナル部分８を切り落としておいて、折り畳み後に残る一方を切り落としたり、或いは天地方向のカット後に切り落としても構わない。【００１５】  前記長尺シートを使用した場合、図４（Ｂ）に示すように各葉片の対向面間に疑似接着シートＧ（複雑化を避けるため樹脂側のフィルムをＦ１、支持体側のフィルムをＦ２として２層で表す）を挟み込んだ状態でヒートローラや或いはヒータパネル及び加圧ローラ等により加熱・加圧又は加圧処理が施され、各葉片の対向内面と疑似接着シートＧの両外側面が完全接着され一体化される。
なお加熱・加圧又は加圧処理の時期にも制限はなく、例えば長尺シートを折り畳み疑似接着シートＧを挟み込んだ状態で前記処理を施し、予め長尺シートと疑似接着シートＧの一体化を完了した後に個別の情報通信体に裁断し切り出しても構わない。
同図において折り線３側から疑似接着シートＧが内側に控える位置に配置されているため折り線３側に空間が存在しているが、折り線３側にさらに寄せることにより空間がなくなっても構わない。
この二つ折り葉書の開封部分は同図（Ａ）に示すように挟み込まれた疑似接着シートＧが露出した状態の切り欠き部分Ｋを剥離の端緒としている。【００１６】  既述の内容で作製された二つ折り葉書の開封方法は以下の通り実行される。
図５（Ａ）に示すように葉片１のコーナーに設けられた切り欠き部分Ｋにより、二つ折り葉書のコーナーに段差が形成されている。露出している疑似接着シートＧは樹脂側のフィルムＦ１（樹脂＋感熱接着剤層）が葉片１側に配置されているため、樹脂側のフィルムＦ１が表出した状態になっている。
そして開封のために葉片１の切り欠き部分Ｋを持ち上げると、フィルムＦ１は引っ張りや破断の力に弱いので同図（Ｂ）に示すように伸びた状態で開封されたり、また同図（Ｃ）に示すように切り欠き部分Ｋに対応するフィルムＦ１部分をのこしたまま破断されて開封される。
なおこのように樹脂側のフィルムＦ１が変形や破断を起こすため剥離が可能になるので、例えば対向葉片に沿って段差を形成した場合に誤って疑似接着シートＧがはみ出しても開封は可能である。【００１７】  剥離展開された二つ折り葉書は図６に示すように各フィルムＦ１、Ｆ２により被覆された状態となり、開封した受取人は両内面に記載されている隠蔽情報６を透明な各フィルムを透して読み取ることができる。
なおフィルムＦ２上に残存している切り欠き部分Ｋに対応するフィルムＦ１は、厚さが極めて薄いためにその存在を感じることはない。【００１８】  なお本発明は前記実施例に制限されるものではない。
本実施例中では長尺シートを連続的に折り畳みながら、連続的に疑似接着フィルムＧを挿入する場合を説明しているが、例えばインタースタッカー等で長尺シートの任意の折り線から連続的に切り分けた後に、連続的に重ね合わせながら疑似接着フィルムＧを挿入しても構わない。
さらに長尺シートではなくカット紙に複数丁印刷されている場合でも構わず、その場合単体の葉書用紙を折り合わせてその対向面間に周囲側端よりやや小さ目のカットされた疑似接着シートＧを個別に挟み込むことにより製造しても構わない。
【図面の簡単な説明】
【００１９】
【図１】  （Ａ）及び（Ｂ）は二つ折り葉書用紙（単体）の表面図と裏面図をそれぞれ表す。
【図２】  長尺シートの場合の葉書用紙の平面図を表す。
【図３】  疑似接着シートの断面図を表す。
【図４】  （Ａ）及び（Ｂ）は疑似接着シートを挟み込んだ二つ折り葉書の平面図とＸ−Ｘ線断面図をそれぞれ表す。
【図５】  （Ａ）、（Ｂ）及び（Ｃ）は剥離の端緒となる切り欠き部分の剥離の様子を分かりやすく示す斜視図をそれぞれ表す。
【図６】  二つ折り葉書を剥離展開した場合の内面側の平面図を表す。
【符号の説明】
【００２０】Ｓ  葉書用紙
Ｇ  疑似接着シート
Ｋ  切り欠き部分
Ｆ１、Ｆ２  フィルム
Ｔ  単位葉書用紙
１、２  葉片
３  折り線
４  あて先
５  一般情報
６  隠蔽情報
７  マージナル孔
８  マージナル部分
９、１０  切取線
１１  樹脂
１２  支持体
１３  感熱接着剤層
【図１】
0004352137.tif 000002
【図２】
0004352137.tif 000003
【図３】
0004352137.tif 000004
【図４】
0004352137.tif 000005
【図５】
0004352137.tif 000006
【図６】
0004352137.tif 000007